(57)【要約】      （修正有）【課題】接地用コンタクトばねの損傷防止を図る。【解決手段】コンタクトデバイスは、第１のコンタクトハウジング３０と、作動ユニット３５と、コンタクト要素と、を有し、コンタクト要素を接地線に電気接続することができ、第１のコンタクトハウジング３０は作動ユニットに接続されており、コンタクト要素は少なくとも１つのコンタクトばね２１５を有し、作動ユニット３５は第１の位置と第２の位置との間で旋回させることができ、第１の位置ではコンタクトばね２１５は第１のコンタクトレセプタクル内に配置され、第２の位置では作動ユニット３５はコンタクトばね２１５に当接し、コンタクトばね２１５は旋回されて第１のコンタクトレセプタクルから少なくとも部分的に外に出、更なるコンタクトデバイスのシールドコンタクト２５５に接触するように形成されている。【選択図】図１１
2020009766.tif 000002
【特許請求の範囲】
【請求項１】
コンタクトシステム（１０）の更なるコンタクトデバイス（２０）に固定されるコンタクトデバイス（１５）であって、
−第１のコンタクトハウジング（３０）と、作動ユニット（３５）と、コンタクト要素（４０）と、を有し、
−前記コンタクト要素（４０）は接地線（２５）に電気接続することができ、
−前記第１のコンタクトハウジング（３０）は、第１のコンタクトレセプタクル（３４５）を有し、かつ前記作動ユニット（３５）に接続されており、
−前記コンタクト要素（４０）は、前記第１のコンタクトレセプタクル（３４５）内に配置されており、
−前記コンタクト要素（４０）は少なくとも１つのコンタクトばね（２１５）を有し、
−前記作動ユニット（３５）は第１の位置と前記第１の位置とは異なる第２の位置との間で旋回させることができ、
−前記第１の位置では、前記コンタクトばね（２１５）は前記第１のコンタクトレセプタクル（３４５）内に配置されており、
−前記第２の位置では、前記作動ユニット（３５）は前記コンタクトばね（２１５）に当接し、
−前記コンタクトばね（２１５）は旋回されて前記第１のコンタクトレセプタクルから少なくとも部分的に外に出、前記コンタクトばね（２１５）は、前記更なるコンタクトデバイス（２０）のシールドコンタクト（２５５）に接触するように形成されている、コンタクトデバイス（１５）。
【請求項２】
−前記第１のコンタクトハウジング（３０）は下側（１７０）に支持表面（１７５）を有し、
−前記第１のコンタクトハウジング（３０）は第１の開口（３６０）を有し、
−前記第１の開口（３６０）は、前記第１のコンタクトレセプタクル（３４５）を前記支持表面（１７５）に接続しており、
−前記第２の位置では、前記コンタクトばね（２１５）は前記第１の開口（３６０）を通って係合する、
請求項１に記載のコンタクトデバイス（１５）。
【請求項３】
−前記第１のコンタクトハウジング（３０）は第２の開口（３６５）を有し、
−前記第２の開口（３６５）は前記第１のコンタクトハウジング（３０）の前記第１のコンタクトレセプタクル（３４５）に対して傾斜する様式で配置されており、
−前記第２の開口（３６５）は、１つの側で、前記第１のコンタクトハウジング（３０）の上側（３５５）において開口しており、別の側で、前記第１のコンタクトレセプタクル（３４５）において開口しており、
−前記第２の位置では、前記作動ユニット（３５）は前記第２の開口（３６５）を少なくとも部分的に閉鎖する、
請求項１又は２に記載のコンタクトデバイス（１５）。
【請求項４】
−前記作動ユニット（３５）は作動部（３７０）を有し、
−前記作動部（３７０）は、前記第２の位置では、前記第２の開口（３６５）を通過し、前記作動部（３７０）の自由端（３９４）に作動表面（３９０）が配置されている状態で、前記コンタクトばね（２１５）を前記第１の開口（３６０）内へと押し込む、
請求項３に記載のコンタクトデバイス（１５）。
【請求項５】
−前記作動ユニット（３５）は作動ブラケット（１２５）を有し、
−前記作動ブラケット（１２５）は、固定端（１３０）において、旋回軸（１２０）を中心にして連接された様式で、前記第１のコンタクトハウジング（３０）に接続されており、
−前記作動ブラケット（１２５）は、前記旋回軸（１２０）を中心にして、前記第１の位置と前記第２の位置との間で旋回させることができ、
−前記第１の位置では、前記作動ブラケット（１２５）は前記第１のコンタクトハウジング（３０）から距離を置いて配置され、
−前記第２の位置では、前記作動ブラケット（１２５）は前記第１のコンタクトハウジング（３０）上へと折り重ねられる、
請求項１から４のいずれか一項に記載のコンタクトデバイス（１５）。
【請求項６】
−前記作動ユニット（３５）は少なくとも１つの第１の保持要素（１４０）を有し、
−前記第１の保持要素（１４０）は、前記作動ブラケット（１２５）上の第１の側（１５５）で側方に配置されており、かつ前記作動ブラケット（１２５）に接続されており、
−前記第１の保持要素（１４０）は、前記作動ユニット（３５）の前記第２の位置では、前記更なるコンタクトデバイス（２０）の第２のコンタクトハウジング（５０）のハウジング突出部（６５）の背後で係合するように形成されている、
請求項５に記載のコンタクトデバイス（１５）。
【請求項７】
−前記作動ユニット（３５）は第２の保持要素（１４５）を有し、
−前記第２の保持要素（１４５）は、前記作動ブラケット（１２５）上の前記第１の側（１５５）の反対側に配置された第２の側（１６０）で側方に配置され、前記作動ブラケット（１２５）に接続されており、
−前記第２の保持要素（１４５）は、前記作動ユニット（３５）の前記第２の位置では、前記更なるコンタクトデバイス（２０）の前記第２のコンタクトハウジング（５０）の更なるハウジング突出部（９０）の背後で係合するように形成されている、
請求項６に記載のコンタクトデバイス（１５）。
【請求項８】
−前記第１の保持要素（１４０）は、該第１の保持要素（１４０）の自由端（４１０）にラッチングノーズ（４００）を有し、
−前記ラッチングノーズ（４００）は、前記作動ブラケット（１２５）に面する側にラッチング表面（４０５）を有し、
−前記ラッチング表面（４０５）は、前記ハウジング突出部（６５）に当接することによって、前記作動ブラケット（１２５）を前記第２の位置に保持するように形成されている、
請求項６又は７に記載のコンタクトデバイス（１５）。
【請求項９】
−前記第１のコンタクトハウジング（３０）は第３の保持要素（１５０）を備え、
−前記第３の保持要素（１５０）はフックの形状で形成されており、
−前記第１の保持要素（１４０）及び前記第３の保持要素（１５０）は、前記コンタクトデバイス（１５）の共通の側に配置されており、
−前記第３の保持要素（１５０）は、前記ハウジング突出部（６５）の周囲に係合するように形成されている、
請求項１から８のいずれか一項に記載のコンタクトデバイス（１５）。
【請求項１０】
−前記第３の保持要素（１５０）は、前記第１の開口（３６０）と前記作動ブラケット（１２５）の前記固定端（１３０）との間に配置されている、
請求項９に記載のコンタクトデバイス（１５）。
【請求項１１】
−前記作動部（３７０）は、前記旋回軸（１２０）と前記第１の保持要素（１４０）との間に配置されており、
−前記作動部（３７０）は台形の構成を有し、
−前記作動部（３７０）の長い側（３８０）は、前記作動部（３７０）の固定端（３７５）に配置されており、
−前記作動部（３７０）は、前記固定端（３７５）によって前記作動ブラケット（１２５）に接続されており、
−前記作動部（３７０）の短い側（３８５）は、前記作動表面（３９０）上に配置されており、
−前記作動表面（３９０）は前記作動部（３７０）の自由端（３９４）に配置されている、
請求項６から１０のいずれか一項に記載のコンタクトデバイス（１５）。
【請求項１２】
−前記コンタクトばね（２１５）は、第１のばね区域（２３５）と、前記第１のばね区域（２３５）に接続されている第２のばね区域（２４０）と、を備え、
−前記第１のばね区域（２３５）及び前記第２のばね区域（２４０）は各々、反対方向に延びるように湾曲しており、
−前記第２のばね区域（２４０）は、前記第１のばね区域（２３５）に対して凸状の様式で形成されており、
−前記第２の位置では、前記作動ユニット（３５）は前記第１のばね区域（２３５）の上側に当接し、
−前記第２の位置では、少なくとも前記第２のばね区域（２４０）は、前記第１の開口（３６０）を通って係合し、かつ、下側で前記更なるコンタクトデバイスの前記シールドコンタクト（２５５）に当接するように形成されている、
請求項１から１１のいずれか一項に記載のコンタクトデバイス（１５）。
【請求項１３】
−コンタクトデバイス（１５）と更なるコンタクトデバイス（２０）とを有し、
−前記コンタクトデバイス（１５）は請求項１から１２のいずれか一項に従って形成されており、
−前記更なるコンタクトデバイス（２０）は、少なくとも１つの第２のコンタクトハウジング（５０）とシールド部（２５０）とを有し、
−前記第２のコンタクトハウジング（５０）は第２のコンタクトレセプタクル（２４６）を有し、
−前記シールド部（２５０）は、前記第２のコンタクトレセプタクル（２４６）内に配置されており、
−前記シールド部（２５０）は、前記第２のコンタクトハウジング（５０）の外側に配置されているシールドコンタクト（２５５）を有し、
−前記コンタクトデバイス（１５）は前記更なるコンタクトデバイス（２０）に固定されており、
−前記第１の位置では、前記コンタクトばね（２１５）は前記シールドコンタクト（２５５）から距離を置いて配置され、
−前記第２の位置では、前記作動ユニット（３５）は前記コンタクトばね（２１５）を前記シールドコンタクト（２５５）上へと押し付け、前記コンタクトばね（２１５）は前記シールドコンタクト（２５５）との電気接触部を形成する、
コンタクトシステム（１０）。
【請求項１４】
−前記シールドコンタクト（２５５）は少なくとも部分的にプレートの形状で形成されており、
−前記第２のコンタクトハウジング（５０）は、前記シールドコンタクト（２５５）の周縁に縁部（９５）を有し、
−前記縁部（９５）及び前記シールドコンタクト（２５５）はレセプタクル（２６５）を画定しており、
−前記第１のコンタクトハウジング（３０）は部分的に前記レセプタクル（２６５）内に配置されており、前記支持表面（１７５）とともに前記シールドコンタクト（２５５）に当接しており、
−前記縁部（９５）は前記第１のコンタクトハウジング（３０）の周縁に当接する、
請求項１３に記載のコンタクトシステム（１０）。
【請求項１５】
−前記第２のコンタクトハウジング（５０）は少なくとも１つの前記ハウジング突出部（６５）を有し、
−前記第１の保持要素（１４０）は前記ハウジング突出部（６５）の背後で係合し、前記コンタクトデバイス（１５）を前記ハウジング突出部（６５）に固定する、
請求項１３又は１４に記載のコンタクトシステム（１０）。
【請求項１６】
−前記第２のコンタクトハウジング（５０）は前記更なるハウジング突出部（９０）を有し、
−前記ハウジング突出部（６５）及び前記更なるハウジング突出部（９０）は、リブの形状で形成されており、共通の平面内に延在し、
−前記ハウジング突出部（６５）及び前記更なるハウジング突出部（９０）は、平行に延びるように形成されており、
−前記ハウジング突出部（６５）及び前記更なるハウジング突出部（９０）は、前記第２のコンタクトハウジング（５０）の対向する側にそれぞれ配置されており、
−前記第３の保持要素（１５０）は前記ハウジング突出部（６５）の周囲に係合し、前記第２の保持要素（１４５）は前記更なるハウジング突出部（９０）の周囲に係合する、
請求項１３から１５のいずれか一項に記載のコンタクトシステム（１０）。
【発明の詳細な説明】
【技術分野】
【０００１】
本発明は、請求項１に記載のコンタクトデバイス、及び請求項１３に記載のコンタクトシステムに関する。
【背景技術】
【０００２】
接地接続部を有するコンタクトデバイスが、ＷＯ２００８／０８３１６７Ａ１から知られている。
【先行技術文献】
【特許文献】
【０００３】
【特許文献１】ＷＯ２００８／０８３１６７Ａ１
【発明の概要】
【発明が解決しようとする課題】
【０００４】
改善されたコンタクトデバイス及び改善されたコンタクトシステムを提供することが、本発明の課題である。
【課題を解決するための手段】
【０００５】
この課題は、請求項１に記載のコンタクトデバイス、及び請求項１３に記載のコンタクトシステムによって、解決される。従属請求項には、有利な実施形態が記載されている。
【０００６】
コンタクトシステムの更なるコンタクトデバイスに固定される改善されたコンタクトデバイスが下記により提供可能である。そのコンタクトデバイスは、第１のコンタクトハウジングと、作動ユニットと、接地線に電気接続できるコンタクト要素と、を備える。第１のコンタクトハウジングは、第１のコンタクトレセプタクルを有し、かつ作動ユニットに接続されている。コンタクト要素は、第１のコンタクトレセプタクル内に配置されている。コンタクト要素はコンタクトばねを有し、作動ユニットを第１の位置と第２の位置との間で旋回させることが可能である。第１の位置では、コンタクトばねは第１のコンタクトレセプタクル内に配置されている。第２の位置では、作動ユニットはコンタクトばねに当接する。更に、第２の位置では、コンタクトばねは旋回されて第１のコンタクトレセプタクルから少なくとも部分的に外に出る。
コンタクトばねは、更なるコンタクトデバイスのシールドコンタクトに接触するように形成されている。
【０００７】
この構成は、作動ユニットの第１の位置ではコンタクトばねが中に旋回されて、損傷しないように保護される、という利点を有する。
【０００８】
更なる実施形態では、第１のコンタクトハウジングは、下側に支持表面を有する。第１のコンタクトハウジングは、第１のコンタクトレセプタクルを支持表面に接続する、第１の開口を有する。第２の位置では、コンタクトばねは第１の開口を通って係合する。
【０００９】
更なる実施形態では、第１のコンタクトハウジングは第２の開口を有し、第２の開口は第１のコンタクトハウジングの第１のコンタクトレセプタクルに対して傾斜する様式で配置されている。第２の開口は、１つの側で、第１のコンタクトハウジングの上側に開口しており、別の側で、第１のコンタクトレセプタクルに開口している。第２の位置では、作動ユニットは第２の開口を閉鎖する。結果として、コンタクト要素内への異物の進入が防止される。
【００１０】
更なる実施形態では、作動ユニットは作動区域を有する。作動区域は、第２の位置では、第２の開口を通過し、作動区域の自由端に作動表面が配置されている状態で、コンタクトばねを第１の開口内へと押し通す。
【００１１】
更なる実施形態では、作動ユニットは作動ブラケットを有し、作動ブラケットは、一方の端部で、旋回軸を中心にして連接された様式で、第１のコンタクトハウジングに接続されている。作動ブラケットは、旋回軸を中心にして、第１の位置と第２の位置との間で旋回させることができる。第１の位置では、作動ブラケットは、第１のコンタクトハウジングから距離を置いて配置される。第２の位置では、作動ブラケットは、第１のコンタクトハウジング上へと折り重ねられる。結果として、第１のコンタクトデバイスは、作動ユニットの第２の位置において特にコンパクトな様式で形成される。
【００１２】
更なる実施形態では、作動ユニットは、少なくとも１つの第１の保持要素を有する。第１の保持要素は、作動ブラケット上の第１の側の側方に配置されており、かつ作動ブラケットに接続されている。第１の保持要素は、作動ユニットの第２の位置では、更なるコンタクトデバイスの第２のコンタクトハウジングのハウジング突出部の背後で係合するように形成されている。結果として、第２のコンタクトユニットへの第１のコンタクトユニットの簡単な固定が保証される。更に、結果として、更なるコンタクトデバイスへのコンタクトデバイスの特に簡単な装着が実現されるが、その理由は、作動部によるコンタクトばねの作動と同時に、第１の保持要素もまたハウジング突出部の背後で係合できるからである。
【００１３】
更なる実施形態では、作動ユニットは第２の保持要素を有し、第２の保持要素は、作動ブラケットの第１の側の反対側に配置された第２の側で側方に配置され、作動ブラケットに接続されている。第２の保持要素は、作動ユニットの第２の位置では、更なるコンタクトデバイスの第２のコンタクトハウジングの更なるハウジング突出部の背後で係合するように形成されている。結果として、更なるコンタクトデバイスへのコンタクトデバイスの確実な固定が保証される。更に、作動ブラケットの屈曲が回避される。
【００１４】
更なる実施形態では、第１の保持要素は自由端にラッチングノーズを有し、ラッチングノーズは作動ブラケットに面する側にラッチング表面を有する。ラッチング表面は、ハウジング突出部に当接することによって、作動ブラケットを第２の位置に保持するように形成されている。結果として、作動ブラケットが意図せず外れることが回避される。
【００１５】
更なる実施形態では、第１のコンタクトハウジングは第３の保持要素を有し、第３の保持要素はフックの形状で形成されている。第１の保持要素及び第３の保持要素は、コンタクトデバイスの共通の側に配置されている。第３の保持要素は、ハウジング突出部の周囲に係合するように形成されている。
【００１６】
更なる実施形態では、第３の保持要素は、第１の開口と作動ブラケットの固定端との間に配置されている。
【００１７】
更なる実施形態では、作動部は、旋回軸と第１の保持要素との間に配置されている。作動部は台形の構成を有する。作動部の固定端に作動部の長い側が配置されている。作動部は固定端によって作動ブラケットに接続されている。作動表面上に作動部の短い側が配置されている。作動表面は作動部の自由端に配置されている。この構成は、作動部が特にコンパクトであるという利点を有する。更に、第１の位置から第２の位置への作動ユニットの旋回中の、及び第１の開口内への作動部の進入中の、作動部の食い込み（ｗｅｄｇｉｎｇ）が回避される。結果として、コンタクトデバイスが確実に機能することが保証される。
【００１８】
更なる実施形態では、コンタクトばねは、第１のばね区域と、第１のばね区域に接続されている第２のばね区域と、を有する。第１のばね区域及び第２のばね区域は各々、反対方向に延びるように湾曲している。第２のばね区域は、第１のばね区域に対して凸状の様式で形成される。第２の位置では、作動ユニットは第１のばね区域の上側に当接する。第２の位置では、少なくとも第２のばね区域は、第１の開口を通って係合し、かつ、下側で更なるコンタクトデバイスのシールドコンタクトに当接するように形成されている。
【００１９】
改善されたコンタクトシステムを提供することが下記のように可能である。そのコンタクトシステムは、上記のように形成されたコンタクトデバイスと、更なるコンタクトデバイスとを有し、更なるコンタクトデバイスは、少なくとも１つの第２のコンタクトハウジングと、シールド部と、を有し、第２のコンタクトハウジングは、第２のコンタクトレセプタクルを有する。シールド部は、第２のコンタクトレセプタクル内に配置されている。シールド部は、コンタクトハウジングの外側に配置されているシールドコンタクトを有し、コンタクトデバイスは更なるコンタクトデバイスに固定されている。第１の位置では、コンタクトばねは、シールドコンタクトから距離を置いて配置される。第２の位置では、作動ユニットはコンタクトばねをシールドコンタクト上へと押し付け、コンタクトばねはシールドコンタクトとの電気接触部を形成する。
【００２０】
この構成は、シールド部が追加的に第１のコンタクトデバイスを介して追加の接地接続部を更に受け入れ、この結果、シールド部が、更に導電体を干渉から特に良好にシールドできるようになる、という利点を有する。
【００２１】
更なる実施形態では、シールドコンタクトはプレートの形状で形成されており、第２のコンタクトハウジングは、シールドコンタクトの周縁に縁部を有する。縁部及びシールドコンタクトは、レセプタクルを画定している。第１のコンタクトハウジングは部分的にレセプタクル内に配置されており、支持表面で前記シールドコンタクトに当接している。縁部は第１のコンタクトハウジングの周縁に当接する。結果として、第１のコンタクトハウジングが縁部に接して止まることによって、更なるコンタクトデバイスに対してコンタクトデバイスが滑ることが、確実に回避される。
【００２２】
更なる実施形態では、第２のコンタクトハウジングは、少なくとも１つの側方に配置されたハウジング突出部を有し、第１の保持要素は、ハウジング突出部の周囲に係合し、コンタクトデバイスをハウジング突出部に固定させる。
【００２３】
更なる実施形態では、第２のコンタクトハウジングは更なるハウジング突出部を有し、ハウジング突出部及び更なるハウジング突出部は、リブの形状で形成されており、共通の平面内に延在する。ハウジング突出部及び更なるハウジング突出部は、平行に延びるように形成されている。ハウジング突出部及び更なるハウジング突出部は、第２のコンタクトハウジングの対向する側にそれぞれ配置されている。第３の保持要素はハウジング突出部の周囲に係合し、第２の保持要素は更なるハウジング突出部の周囲に係合する。結果として、更なるコンタクトデバイスの両側でのコンタクトデバイスの固定が保証される。
【００２４】
本発明について、図を用いて以下でより詳細に説明する。
【図面の簡単な説明】
【００２５】
【図１】コンタクトシステムの斜視図である。
【図２】図１に示すコンタクトシステムの上面図である。
【図３】図２に示すコンタクトシステムの第１のコンタクトデバイスの斜視図である。
【図４】図１に示すコンタクトシステムのコンタクト要素の斜視図である。
【図５】図２に示す切断面Ａ−Ａに沿った、図４に示すコンタクト要素を通る長手断面図である。
【図６】図１に示すコンタクトシステムの第２のコンタクトデバイスの斜視図である。
【図７】図６に示す第２のコンタクトデバイスの更なる斜視図である。
【図８】図１に示す切断面Ｂ−Ｂに沿った、図２に示すコンタクトシステムを通る長手断面図である。
【図９】図２に示す切断面Ａ−Ａに沿った、図２に示すコンタクトシステムを通る、コンタクトシステムを通る長手断面図である。
【図１０】下方から見た、図３に示す第１のコンタクトハウジングの斜視図である。
【図１１】図２に示す切断面Ａ−Ａに沿った、図２に示すコンタクトシステムを通る断面図である。
【図１２】図１１に示す切断面Ｄ−Ｄに沿った、図１１に示すコンタクトシステムを通る断面図である。
【図１３】図１１に示す切断面Ｃ−Ｃに沿った、図１１に示すコンタクトシステムを通る断面図である。
【発明を実施するための形態】
【００２６】
以下の図では、座標系を参照する。座標系は例として右手系として構成され、ｘ軸（長手方向）、ｙ軸（横断方向）、及びｚ軸（垂直方向）を備える。
【００２７】
図１は、コンタクトシステム１０の斜視図を示す。
【００２８】
コンタクトシステム１０は、第１のコンタクトデバイス１５と、第２のコンタクトデバイス２０と、を有する。第２のコンタクトデバイス２０は例として、図１では第１のコンタクトデバイス１５の下側に配置されている。コンタクトシステム１０は、第１のシールドケーブル２９０を第２のシールドケーブル２９５に接続する役割を果たす。第１のシールドケーブル２９０及び第２のシールドケーブル２９５は、図１では点線によってシンボル的に描かれている。この場合、第２のコンタクトデバイス２０は、第１のシールドケーブル２９０を第２のシールドケーブル２９５に接続するための、カプラを形成する。第２のコンタクトデバイス２０の異なる構成を当然ながら考えることができる。
【００２９】
第１のコンタクトデバイス１５は、好ましくは噛み合う様式で、第２のコンタクトデバイス２０に接続されている。第１のコンタクトデバイス１５は、接地線２５に接続されている。接地線２５を電気アースに、例えば自動車の本体に、接続することができる。
【００３０】
第１のコンタクトデバイス１５は、第１のコンタクトハウジング３０と、作動ユニット３５と、図１では第１のコンタクトハウジング３０によって覆われている、コンタクト要素４０と、を有する。
【００３１】
接地線２５は、第１のコンタクトハウジング３０内へと導かれ、かつ、ケーシング４７と第１の導電体４６とを有し、第１の導電体４６は電気アース（図示せず）に電気接続されている。ケーシング４７は第１の導電体４６の周囲を取り囲み、コンタクトシステム１０の周囲環境５５に対して、第１の導電体４６を電気的に絶縁する。
【００３２】
第２のコンタクトデバイス２０は、図１では覆われているシールド部２５０と、第２のコンタクトハウジング５０と、を有する。
【００３３】
第２のコンタクトハウジング５０は例として、矩形の基本形状を有する。第２のコンタクトハウジング５０は、第１の側方表面６０を更に有する。第１の側方表面６０は、実質的にｘｚ平面内に延在する。第２のコンタクトハウジング５０は、第１の側方表面６０上に、少なくとも１つの第１のハウジング突出部６５を更に有する。第１のハウジング突出部６５はそして、ｚ方向において第２のコンタクトハウジング５０の上側２６０に配置される。第１のハウジング突出部６５は、側面に沿って第１の側方表面６０を越えて横断方向にと突出している。第１のハウジング突出部６５は、リブの形状で形成されている。第２のハウジング突出部７０は、第１のハウジング突出部６５の下方に配置することができ、例として、第２のハウジング突出部７０は、第１のハウジング突出部６５と同一に形成される。
第２のハウジング突出部７０は、第１のハウジング突出部６５と平行に延びている。第１のハウジング突出部６５及び第２のハウジング突出部７０は、ハウジングレセプタクル７５の上側及び下側を画定している。ハウジングレセプタクル７５は、第１の側方表面６０によって横断方向に関して画定されている。第１の側方表面６０はしたがって、第２のハウジング突出部７０によって垂直方向に関して遮られている。
【００３４】
図２は、図１に示すコンタクトシステム１０の上面図を示す。
【００３５】
第２のコンタクトハウジング５０は、第１の側方表面６０のｙ方向反対側にある第２の側方表面８０と、長手方向において第２の側方表面８０の端縁となっている突出区域８５と、を有する。第２の側方表面８０は、第１の側方表面６０と平行になるように位置合わせされる。第２のコンタクトハウジング５０は、第２の側方表面８０上に、垂直方向及び横断方向に関して第１のハウジング突出部６５と同一に形成されている、第３のハウジング突出部９０を有する。第３のハウジング突出部９０もまた、リブの形状で形成されている。第１のハウジング突出部６５及び第３のハウジング突出部９０は、共通のｘｙ平面内に延在する。ｙ方向において、突出区域８５は、第３のハウジング突出部９０よりも幅広に形成されている。第３のハウジング突出部９０は、長手方向において突出区域８５で終端する。
【００３６】
第２のコンタクトハウジング５０は、例として、周縁にある縁部９５を上側に有する。縁部９５は、第２のコンタクトハウジング５０の上側の周縁全体上に配置されている。縁部９５はまた、中断していてもよい。縁部９５の第１の部分区域は、第１のハウジング突出部６５によって形成されている。横断方向において対置される様式で、縁部９５の第２の部分区域は、突出区域８５及び第３のハウジング突出部９０によって形成されている。第１の端面１００において、第２のコンタクトハウジング５０は、プレート状に形成されており実質的に横断方向に延在する、第１の端部区域１０５を有する。第１の端面１００の反対側の第２の端面１１０において、第２のコンタクトハウジング５０は、プレート状に形成された第２の端部区域１１５を有する。
第１の端部区域１０５及び第２の端部区域１１５は、第２のコンタクトハウジング５０の全幅にわたって、横断方向に延在する。第１の端部区域１０５及び第２の端部区域１１５は、第３の部分区域及び第４の部分区域において横断方向に、縁部９５を形成している。
【００３７】
第１の端面１００に面する側で、作動ユニット３５は、ヒンジ１３５によって第１のコンタクトハウジング３０に接続されている。作動ユニット３５は、旋回軸１２０を中心にして、第１の位置（ロック解除位置）と第２の位置（ロック位置）との間で旋回させることができる。旋回軸１２０は第１の端面１００と平行に延びており、かつｙ軸と平行に延びている。図２では、作動ユニット３５は第２の位置（ロック位置）で描かれている。
【００３８】
作動ユニット３５は、例としてプレートの形状に形成された、作動ブラケット１２５を有する。作動ブラケット１２５は、第１の端面１００に面する側に配置されている第１の固定端１３０において、ヒンジ１３５に接続されている。作動ユニット３５、ヒンジ１３５、及び第１のコンタクトハウジング３０は好ましくは、同一片として同じ材料で、例えば射出成形によって例えばプラスチックから、作製される。
【００３９】
ヒンジ１３５は例えば、フィルムヒンジの様式で形成することができる。ヒンジ１３５はまた、例えば図３で分かるように、作動ブラケットの第１の固定端１３０における、材料を薄くした部分として形成することもできる。この材料を薄くした部分はまた、作動ブラケット１２５の材料がヒンジ１３５の領域で弾性的に可逆に変形できる場合には、省略することもできる。第２の位置では、作動ブラケット１２５は、第１のコンタクトハウジング３０上へと折り重ねられる。
【００４０】
作動ユニット３５は、第１の保持要素１４０と、第２の保持要素１４５と、第３の保持要素１５０と、を更に有する。保持要素１４０、１４５、１５０の数は、例として与えられている。当然ながら、保持要素１４０、１４５、１５０の数はまた、図２に示すコンタクトシステム１０の構成と比較して、より多く又はより少なくすることができる。
【００４１】
第１の保持要素１４０は、作動ブラケット１２５の第１の側１５５に配置されている。第１の側１５５は、作動ブラケット１２５の第１の側方表面６０に面する側に配置されている。第２の保持要素１４５は、第１の側１５５の横断方向反対側にある、第２の側１６０に配置されている。第１の保持要素１４０及び第２の保持要素１４５は更に、作動ブラケット１２５の第１の自由端１６５の端縁となるように配置されている。第１の保持要素１４０及び第２の保持要素１４５は、作動ブラケット１２５に接続されている。この場合、第１の保持要素１４０及び第２の保持要素１４５は、長手方向に重なり合う様式で配置されている。
この場合、長手方向の重なり合いとは、ｘｚ平面として形成されている投影面へのｙ方向の投影の場合において、これら２つの構成要素、ここでの実施形態では第１の保持要素１４０及び第２の保持要素１４５が、投影面において互いを覆っていることを意味するものとして理解される。言い換えれば、第１の保持要素１４０及び第２の保持要素１４５は、長手方向に関して同じ高さで配置されている。
【００４２】
第１のコンタクトデバイス１５は、第３の保持要素１５０を更に有する。第３の保持要素１５０は、第１のコンタクトハウジング３０の側方の、長手方向において第１の固定端１３０に面する側でありかつ横断方向において第１の側１５５に面する側に、配置されている。第３の保持要素１５０は、例として、長手方向において第１の保持要素１４０及び第２の保持要素１４５よりも短く形成されている。第３の保持要素１５０は更に、第１の保持要素１４０及び第２の保持要素１４５から距離を置いて配置されている。
【００４３】
図３は、第１のコンタクトデバイス１５の斜視図を示す。
【００４４】
第１のコンタクトハウジング３０は、第１のハウジング要素１６６を有する。第１のハウジング要素１６６は実質的にプレートの形状で形成されており、実質的にｘｙ方向に延在する。第１のハウジング要素１６６は、第３の端面１６７において、作動ブラケット１２５の第１の固定端１３０に接続されている。例として、図３では、作動ユニット３５は第１の位置（ロック解除位置）で描かれている。第１の位置では、作動ブラケット１２５は、第１のコンタクトハウジング３０から離れる方へ旋回した状態で第１のコンタクトハウジング３０から距離を置いて配置される。
【００４５】
第１のコンタクトハウジング３０は、第１のハウジング要素１６６の上側に、第２のハウジング要素１９５を有する。第２のハウジング要素１９５は、横断方向において第１のハウジング要素１６６よりも狭く形成されている。第２のハウジング要素１９５は、実質的に矩形の構成を有する。第１のハウジング要素１６６及び第２のハウジング要素１９５は、同一片として同じ材料で形成されている。
【００４６】
第１のハウジング要素１６６は、下側１７０に支持表面１７５を有する。支持表面１７５は実質的に平面状に形成されており、ｘｙ平面内に延在する。
【００４７】
第１のコンタクトハウジング３０は、下側１７０に、第１の保持バー１８０と、追加的に第２の保持バー１８５と、を更に有し得る。第１の保持バー１８０及び第２の保持バー１８５は、第３の保持要素１５０から距離を置いて配置されている。保持バー１８０、１８５は、支持表面１７５を越えて下側で突出している。保持バー１８０、１８５は直線状に形成されており、実質的にその長手方向の主たる延伸方向に延在する。この場合、保持バー１８０、１８５は、第２の端面１１０に面する第１のコンタクトハウジング３０の第４の端面１９０上で終端する。
【００４８】
図４は、コンタクト要素４０の斜視図を示す。
【００４９】
コンタクト要素４０は第１のコンタクトレセプタクル３４５（図９に示す）内に配置されており、接続区域２００と、接続区域２００と関連付けられた接触区域２０５と、を有する。接続区域２００は、第１の導電体４６の端部領域２１０と関連付けられている。例えば、端部領域２１０では、第１の導電体４６はケーシング４７によって外側を包囲されていない。第１の導電体４６は例えば、接続区域２００に圧着することができる。
【００５０】
接触区域２０５は、コンタクトばね２１５と、コンタクトエンクロージャ２２０と、を有する。コンタクトばね２１５は、第２の固定端２２５においてコンタクトエンクロージャ２２０に接続されている。コンタクトエンクロージャ２２０はコンタクト内部２２１を画定している。コンタクトばね２１５はコンタクト内部２２１内に配置されている。コンタクトエンクロージャ２２０は、コンタクトばね２１５の周囲に側方で係合する。第３の位置では、コンタクトばね２１５は、コンタクトエンクロージャ２２０に電気的及び機械的に接続される。
【００５１】
図５は、図２に示す切断面Ａ−Ａに沿った、図４に示すコンタクト要素４０を通る長手断面図を示す。
【００５２】
コンタクトばね２１５の第２の固定端２２５は、コンタクトばね２１５の接続区域２００に面する側に配置されている。コンタクトばね２１５は、更なる旋回軸２３０を中心にして、第３の位置（図５において実線で描かれている）と第４の位置（図５において点線で描かれている）との間で旋回させることができる。更なる旋回軸２３０は、ｙ軸と平行かつ旋回軸１２０と平行に延びている。第３の位置では、コンタクトばね２１５は、コンタクト内部２２１の内側に配置されている。第４の位置では、コンタクトばね２１５は下向きに旋回されて、コンタクト内部２２１の外に出る。
【００５３】
コンタクトばね２１５は、実質的にＳ字形状の構成を有する。コンタクトばね２１５は、第１のばね区域２３５と第２のばね区域２４０とを有する。第１のばね区域２３５は、長手方向において第２のばね区域２４０の端縁となっている。第１のばね区域２３５及び第２のばね区域２４０は更に、互いに接続されている。第１のばね区域２３５は、コンタクトばね２１５の第２の固定端２２５に面する側に配置されている。第２のばね区域２４０は、コンタクトばね２１５の第２の自由端２４５の端縁となっている。第１のばね区域２３５及び第２のばね区域２４０はいずれの場合も、互いに反対方向へと延びるように湾曲している。この場合、第１のばね区域２３５は下向きに湾曲しており、第１の湾曲の中心が第１のばね区域２３５よりも下方に配置されるようになっている。
第２のばね区域２４０は上向きに湾曲しており、第２のばね区域２４０についての第２の湾曲の中心が、第２のばね区域２４０よりも上方に配置されている。この場合、第２のばね区域２４０は、第１のばね区域２３５に対して凸状の様式で形成される。
【００５４】
図６は、部分的に装着された状態の第２のコンタクトデバイス２０の斜視図を示す。
【００５５】
第２のコンタクトハウジング５０は、第２のコンタクトレセプタクル２４６を有する。シールド部２５０は、第２のコンタクトレセプタクル２４６内に配置されている。
【００５６】
シールド部２５０は実質的にＵ字形状の構成を有し、第２のコンタクトハウジング５０内に配置されている。シールド部２５０は、第２のコンタクトハウジング５０の長手方向の延伸全体にわたって、主に長手方向に延びている。この場合、シールド部２５０は、第２のコンタクトハウジング５０の長手方向の延伸全体にわたって、少なくとも８０％にわたって延びている。シールド部２５０はシールドコンタクト２５５を有する。シールドコンタクト２５５はシールド区域のプレート形状の構成によって形成されており、第２のコンタクトデバイス２０の上側２６０に配置されてアクセス可能である。シールドコンタクト２５５は、実質的に平面状に形成されている。シールドコンタクト２５５の周縁は、縁部９５で囲まれている。シールドコンタクト２５５は、縁部９５の上側２６１に対して下向きにずらされた様式で配置されている。
シールドコンタクト２５５は、縁部９５と共に、レセプタクル２６５を画定している。レセプタクル２６５は、第１のコンタクトデバイス１５が第２のコンタクトデバイス２０に固定されていない限りは、上向きの方向に開口している。
【００５７】
第２のコンタクトデバイス２０は、第１のハウジング突出部６５とシールド部２５０との間に第１の凹部２７０を有し、横断方向において対置される様式で、シールド部２５０と第３のハウジング突出部９０との間に第２の凹部２７５を有する。
【００５８】
第２のコンタクトハウジング５０は、第１のコンタクトデバイスレセプタクル２８０を有する。第１のコンタクトデバイスレセプタクル２８０は、第１の端面１００に開口している。
【００５９】
図７は、第２のコンタクトデバイス２０の更なる斜視図を示す。
【００６０】
第２のコンタクトハウジング５０は、第２のコンタクトデバイスレセプタクル２８５を有する。第２のコンタクトデバイスレセプタクル２８５は、第２のコンタクトハウジング５０内の内側で、第１のコンタクトデバイスレセプタクル２８０に接続される。第２のコンタクトデバイスレセプタクル２８５は、第２の端面１１０に開口している。第１の凹部２７０及び第２の凹部２７５は、第２の端面１１０に面する側に配置されており、第２のコンタクトハウジング５０の長手方向の延伸の約半分にわたって延在する。
【００６１】
図８は、図２に示すコンタクトシステム１０を通る図１に示す切断面Ｂ−Ｂに沿った長手断面図を示す。
【００６２】
第１のシールドケーブル２９０は、第１のケーブルシールド３００を有する。第１のケーブルシールド３００は、第１のシールドケーブル２９０の１つ又は複数の第２の導電体３０５の周囲を包囲する。第１のケーブルシールド３００には、第２のコンタクトハウジング５０のシールド部２５０が接触し、第２の導電体３０５を周囲環境５５からシールドする。
【００６３】
第２のシールドケーブル２９５は同様に、シールドされたケーブルとして形成されており、第２のケーブルシールド３１０を有する。第２のケーブルシールド３１０は、第２のシールドケーブル２９５の１つ又は複数の第３の導電体３１５を周囲環境５５からシールドする。第２のケーブルシールド３１０にはシールド部２５０が接触する。こうして、シールド部２５０は、第１のケーブルシールド３００を第２のケーブルシールド３１０に電気接続する。
【００６４】
第１のシールドケーブル２９０は第３のコンタクトデバイス３２０を更に有し、第２のシールドケーブル２９５は第４のコンタクトデバイス３２５を有する。更に、第２のコンタクトデバイス２０は、接続ユニット３２６を有する。接続ユニット３２６は、第１のコンタクトデバイスレセプタクル２８０内及び第２のコンタクトデバイスレセプタクル２８５内の両方に配置されている。
【００６５】
第３のコンタクトデバイス３２０は、第１のコンタクトデバイスレセプタクル２８０内に係合する。第４のコンタクトデバイス３２５は、第２のコンタクトデバイスレセプタクル２８５内に係合する。この場合、第３のコンタクトデバイス３２０及び第４のコンタクトデバイス３２５は、互いに幾何形状が異なるように形成することができ、第３のコンタクトデバイス３２０を、直接、第４のコンタクトデバイス３２５内に差し込む又はこれに接触させることができないような方式で形成することができる。接続ユニット３２６は、第３のコンタクトデバイス３２０と第４のコンタクトデバイス３２５との間の電気接続を担う。この場合、接続ユニット３２６は、一方側では第３のコンタクトデバイス３２０に、他方側では第４のコンタクトデバイス３２５に接触し、これにより、第３のコンタクトデバイス３２０と第４のコンタクトデバイス３２５間のカプラとしての役割を果たす。
第１のシールドケーブル２９０を、第２のコンタクトデバイス２０に対して他方の側で、更なる電気構成要素、例えば第１の制御装置（図示せず）に、接続することができる。第２のシールドケーブル２９５を、第２のコンタクトデバイス２０から離れる方に面する側で、更なる電気構成要素、例えば更なる制御装置に、接続することができる。
【００６６】
図９は、図２に示すコンタクトシステム１０を通る切断面Ａ−Ａに沿った、コンタクトシステム１０の長手断面図を示す。
【００６７】
図９では、作動ユニット３５は第１の位置で描かれている。この場合、作動ユニット３５は離れる方に旋回されており、第１の保持要素１４０及び第２の保持要素１４５は、第２のコンタクトハウジング５０から距離を置いて配置されている。
【００６８】
第１のコンタクトハウジング３０は、第１のコンタクトレセプタクル３４５を有する。第１のコンタクトレセプタクル３４５は、第４の端面１９０に開口している。コンタクト要素４０、及び接地線２５のある区域、特に端部領域２１０は、第１のコンタクトレセプタクル３４５内に配置される。
【００６９】
第１のコンタクトレセプタクル３４５は、実質的に長手方向に延在し、ｘ軸と平行に延びる。第１のコンタクトレセプタクル３４５は、第１のハウジング要素１６６によって、下側を画定されている。第１のコンタクトレセプタクル３４５は、第２のハウジング要素１９５によって、側方及び上側を画定されている。加えて、第１のコンタクトデバイス１５は固定手段３５０を有することができ、固定手段３５０はコンタクト要素４０を噛み合う様式で第１のコンタクトレセプタクル３４５内に固定し、コンタクト要素４０が第１のコンタクトレセプタクル３４５から特にｘ方向に引き出されるのを防止する。
【００７０】
作動ユニット３５の第１の位置では、コンタクトばね２１５は実質的に第１のコンタクトレセプタクル３４５内に配置される。第１のコンタクトハウジング３０は、第１の開口３６０と第２の開口３６５とを更に有する。第１の開口３６０は、第１のハウジング要素１６６内に配置されている。第１の開口３６０は貫通穴として形成されており、第３の端面１６７に対して及び第４の端面１９０に対して、ずらされた様式で配置されている。この場合、第１の開口３６０から第３の端面１６７までのｘ方向の距離は、第４の端面１９０までよりも小さい。第１の開口３６０は、支持表面１７５を第１のコンタクトレセプタクル３４５に接続する。この場合、第１の開口３６０は、第１のコンタクトレセプタクル３４５に対して傾斜する様式で、好ましくは直交して延びるように、配置されている。
【００７１】
第２の開口３６５は、第１の開口３６０の垂直方向反対側に配置されている。第２の開口３６５は同様に、第１のコンタクトレセプタクル３４５に対して傾斜する様式で、好ましくは直交して、配置されている。第２の開口３６５は、第１のコンタクトハウジング３０の上側３５５に開口している。第２の開口３６５は、ｘ方向において第１の開口３６０よりも狭く形成されている。
【００７２】
作動ユニット３５は作動部３７０を有する。作動部３７０は、長手断面において台形の構成を有する。作動部３７０は、第３の固定端３７５によって作動ブラケット１２５に接続されている。作動部３７０は更に、横断方向において、作動ブラケット１２５上の中央の場所に配置されている。作動部３７０は、旋回軸１２０と第１の保持要素１４０及び第２の保持要素１４５との間に配置されている。作動部３７０の長い側３８０は、作動部３７０の第３の固定端３７５に配置されている。作動部３７０の短い側３８５には作動表面３９０が配置されており、短い側３８５は作動部３７０の第３の自由端３９４に配置されている。作動表面３９０は、平面状の様式で形成されており、作動ブラケット１２５と実質的に平行に延びている。
【００７３】
第１の位置では、作動表面３９０はコンタクトばね２１５から、特に第１のばね区域２３５から、距離を置いて配置される。結果として、コンタクトばね２１５は第３の位置に置かれており、この位置では、コンタクトばね２１５は、シールドコンタクト２５５から距離を置いて配置される。
【００７４】
更に、作動ユニット３５は、少なくとも１つの閉鎖要素３９５を有することができ、閉鎖要素３９５は、作動部３７０に対して側方にずらされた様式で、作動ブラケット１２５上に配置されている。閉鎖要素３９５は、第２の開口３６５に対応する様式で形成されている。好ましくは、横断方向両側に対置される様式で、互いに同一に形成されている２つの閉鎖要素３９５が設けられる。閉鎖要素３９５は、側方視して台形の構成を有する。
【００７５】
図１０は、下方から見た第１のコンタクトハウジング３０の斜視図を示す。
【００７６】
第１の開口３６０は、スロットの形状で形成されており、横断方向に階段状の部分を有する。当然ながら、この階段状の部分を省略することもできる。第３の保持要素１５０は、第１の開口３６０と作動ブラケット１２５の第１の固定端１３０との間で長手方向に配置されている。
【００７７】
第３の保持要素１５０は更にフックの形状で形成されており、例としてこの実施形態ではＵ字形状である。
【００７８】
図１１は、図２に示すコンタクトシステム１０を通る切断面Ａ−Ａに沿った断面図を示す。
【００７９】
図１１では、作動ユニット３５は第２の位置に置かれている。この場合、作動部３７０は第２の開口３６５を通って係合し、作動表面３９０で第１のばね区域２３５の上側に当接する。作動部３７０は、コンタクトばね２１５を第３の位置から第４の位置へと押し出す。第４の位置では、第２のばね区域２４０の下側はシールドコンタクト２５５の上側に当接し、シールドコンタクト２５５に電気的に接触する。結果として、コンタクトばね２１５を介して、シールド部２５０と接地線２５の第１の導電体４６との間の電気接続が提供される。この構成は、結果として、２つの制御装置の互いからの距離が大きい場合に、第１のシールドケーブル２９０と第２のシールドケーブル２９５との間のカプラ（第２のコンタクトデバイス２０）において追加の接地接続が提供され、これにより、特に良好なシールド及び特に良好な接地接触が確保される、という利点を有する。
【００８０】
装着された状態では、第１のハウジング要素１６６は更に、レセプタクル２６５に係合し、支持表面１７５の上側でシールドコンタクト２５５に当接する。縁部９５は第１のハウジング要素１６６の周縁の周囲に係合し、第１のハウジング要素１６６の周縁に当接する。結果として、縁部９５により、第１のハウジング要素１６６が長手方向及び横断方向に関して位置決めされ、第１のコンタクトハウジング３０が第２のコンタクトハウジング５０に対して滑ることが防止される。
【００８１】
図１２は、図１１に示すコンタクトシステム１０を通る切断面Ｄ−Ｄに沿った断面図である。
【００８２】
第１の保持要素１４０は、第４の自由端３９６に第１のラッチングノーズ４００を有する。第１のラッチングノーズ４００は、作動ブラケット１２５に面する側に第１のラッチング表面４０５を有する。第２の保持要素１４５は、第５の自由端４１０に第２のラッチングノーズ４１５を有する。第２のラッチングノーズ４１５は、作動ブラケット１２５に面する側に第２のラッチング表面４２０を有する。第１のラッチング表面４０５及び第２のラッチング表面４２０は、共通のｘｙ平面内に配置されている。
【００８３】
第２の位置では、第１のラッチングノーズ４００は第１のハウジング突出部６５の背後で係合し、ハウジングレセプタクル７５内に係合する。この場合、第２の位置では、第１のラッチング表面４０５は第１のハウジング突出部６５の下側に当接し、作動ユニット３５を固定するとともに保持する。
【００８４】
横断方向において対置される様式で、第２の保持要素１４５は、作動ユニット３５の位置を同様に固定する。この場合、第２のラッチングノーズ４１５は第３のハウジング突出部９０の背後で係合し、第２のラッチング表面４２０で第３のハウジング突出部９０の下側に当接する。結果として、作動ユニット３５の、特に作動ブラケット１２５の傾斜が回避される。
【００８５】
第１の保持バー１８０は更に第１の凹部２７０内に係合し、第２の保持バー１８５は第２の凹部２７５内に係合する。第１の凹部２７０に対する第１の保持バー１８０の対応する構成、及び第２の凹部２７５に対する第２の保持バー１８５の対応する構成によって、更に、第１のコンタクトハウジング３０は、横断方向において及び長手方向において、第２のコンタクトデバイス２０に固定される。
【００８６】
図１３は、図１１に示すコンタクトシステム１０を通る切断面Ｃ−Ｃに沿った断面図を示す。
【００８７】
第１のコンタクトデバイス１５が第２のコンタクトデバイス２０上に装着された状態では、第３の保持要素１５０は、第１のハウジング突出部６５の外側に係合する。第３の保持要素１５０の第６の自由端４２５の端縁として、第３の保持要素１５０は、第１のハウジング要素１６６に面する側に当接表面４３０を有する。当接表面４３０は、平面状の様式で形成されており、第１のハウジング突出部６５の下側に当接する。この場合、第３の保持要素１５０は、第６の自由端４２５によってハウジングレセプタクル７５内に係合する。
【００８８】
図１から図１３に記載されたコンタクトシステム１０の構成は、電気構成要素同士の間の、特に２つの制御装置間の第１及び第２のシールドケーブル２９０、２９５が長い場合に、第１のコンタクトデバイス１５を介して追加の接地を行うことができる、という利点を有する。結果として、第２の導電体３０５及び第３の導電体３１５の確実なシールドが保証される。この場合、第１のコンタクトデバイス１５を第２のコンタクトデバイス２０に、作動ユニット３５を介して特に簡単な様式で固定することができる。この点に関して、特に、次に第１のコンタクトデバイス１５を第２のコンタクトデバイス２０に固定することも可能である。
【００８９】
３つの保持要素１４０、１４５、１５０を介して、第２のコンタクトデバイス２０上の第１のコンタクトデバイス１５の特に良好な着座が保証される。更に、第２の位置において作動部３７０によってコンタクトばね２１５が作動される結果として、コンタクトばね２１５が、第１のコンタクトデバイス１５が第２のコンタクトデバイス２０に固定されていない限りはコンタクトエンクロージャ２２０内に配置されていることが、保証される。
この場合、コンタクトばね２１５はまた、実質的に第１のコンタクトレセプタクル３４５内に置かれることにもなり、この結果、コンタクトばね２１５は損傷から保護される。作動ユニット３５が第１の位置から第２の位置へと完全に旋回されるときまでは、第１のコンタクトデバイス１５を第２のコンタクトデバイス２０に装着している間の、コンタクトばね２１５の意図しない接触もまた回避される。接触と同時に、作動ユニット３５による第２のコンタクトハウジング５０への第１のコンタクトハウジング３０の確実な固定もその結果確保され、これにより、第２のコンタクトデバイス２０への第１のコンタクトデバイス１５の装着を、特に迅速かつ簡単に行うことができる。更に、閉鎖要素３９５は、第２の開口３６５内への埃の進入が回避されるように、第２の開口３６５の側方を閉鎖する。
【００９０】
特に対応して関連付けられた第１及び第２の凹部２７０、２７５内に第１及び第２の保持バー１８０、１８５が係合することによって、適正でない装着が更に回避される。この場合、第１及び第２の保持バー１８０、１８５及び第１及び第２の凹部２７０、２７５は、コード化機能を担っている。
【符号の説明】
【００９１】
１０  コンタクトシステム
１５  第１のコンタクトデバイス
２０  第２のコンタクトデバイス
２５  接地線
３０  第１のコンタクトハウジング
３５  作動ユニット
４０  コンタクト要素
４６  第１の導電体
４７  ケーシング
５０  第２のコンタクトハウジング
５５  周囲環境
６０  第１の側方表面
６５  第１のハウジング突出部
７０  第２のハウジング突出部
７５  ハウジングレセプタクル
８０  第２の側方表面
８５  突出区域
９０  第３のハウジング突出部
９５  縁部
１００  第１の端面
１０５  第１の端部区域
１１０  第２の端面
１１５  第２の端部区域
１２０  旋回軸
１２５  作動ブラケット
１３０  （作動ブラケットの）第１の固定端
１３５  ヒンジ
１４０  第１の保持要素
１４５  第２の保持要素
１５０  第３の保持要素
１５５  第１の側
１６０  第２の側
１６５  （作動ブラケットの）第１の自由端
１６６  第１のハウジング要素
１６７  第３の端面
１７０  下側
１７５  支持表面
１８０  第１の保持バー
１８５  第２の保持バー
１９０  第４の端面
１９５  第２のハウジング要素
２００  接続区域
２０５  接触区域
２１０  端部領域
２１５  コンタクトばね
２２０  コンタクトエンクロージャ
２２１  コンタクト内部
２２５  （コンタクトばねの）第２の固定端
２３０  更なる旋回軸
２３５  第１のばね区域
２４０  第２のばね区域
２４５  （コンタクトばねの）第２の自由端
２４６  第２のコンタクトレセプタクル
２５０  シールド部
２５５  シールドコンタクト
２６０  （第２のコンタクトハウジングの）上側
２６１  （縁部の）上側
２６５  レセプタクル
２７０  第１の凹部
２７５  第２の凹部
２８０  第１のコンタクトデバイスレセプタクル
２８５  第２のコンタクトデバイスレセプタクル
２９０  第１のシールドケーブル
２９５  第２のシールドケーブル
３００  第１のケーブルシールド
３０５  第２の導電体
３１０  第２のケーブルシールド
３１５  第３の導電体
３２０  第３のコンタクトデバイス
３２５  第４のコンタクトデバイス
３２６  接続ユニット
３４５  第１のコンタクトレセプタクル
３５０  固定手段
３５５  （第１のコンタクトハウジングの）上側
３６０  第１の開口
３６５  第２の開口
３７０  作動部
３７５  第３の固定端
３８０  長い側
３８５  短い側
３９０  作動表面
３９４  第３の自由端
３９５  閉鎖要素
３９６  第４の自由端
４００  第１のラッチングノーズ
４０５  第１のラッチング表面
４１０  第５の自由端
４１５  第２のラッチングノーズ
４２０  第２のラッチング表面
４２５  第６の自由端
４３０  当接表面
【図１】
2020009766.tif 000003
【図２】
2020009766.tif 000004
【図３】
2020009766.tif 000005
【図４】
2020009766.tif 000006
【図５】
2020009766.tif 000007
【図６】
2020009766.tif 000008
【図７】
2020009766.tif 000009
【図８】
2020009766.tif 000010
【図９】
2020009766.tif 000011
【図１０】
2020009766.tif 000012
【図１１】
2020009766.tif 000013
【図１２】
2020009766.tif 000014
【図１３】
2020009766.tif 000015
【外国語明細書】
2020009766000001.pdf